(57)【要約】【課題】電池等の電源を設ける必要なしに、増幅機能を有する、汎用性の高いマイクロフォン装置を備えた録音システムを提供する。【解決手段】マイクロフォン装置１０ａ及び記録装置２０を備えた録音システムにおいて、マイクロフォン装置にはマイク部１１、増幅部、並びに第１の面１４に設けられた信号出力端子部１２及び電力入力端子部１３を設け、記録装置には第２の面２３に設けられた信号入力端子部２１及び電力供給端子部２２を設けるとともに、前記第１の面及び第２の面を対向させ、マイクロフォン装置と記録装置との間における、信号出力端子部及び信号入力端子部間の嵌合による接続、並びに電力入力端子部及び電力供給端子部間の嵌合による接続を同時に行い、マイクロフォン装置を記録装置に装着することができるように構成する。【選択図】図１
2008172679.tif 000002
【特許請求の範囲】
【請求項１】
音声を電気的な音声信号に変換するマイク部と、
前記マイク部からの音声信号を増幅する増幅部と、
第１の面に設けられ、前記増幅部により増幅された音声信号を出力するための信号出力端子部と、
前記第１の面に設けられ、前記増幅部に供給する電力を入力するための電力入力端子部とを備えたマイクロフォン装置、及び
第２の面に設けられ、記録する音声信号を入力するための信号入力端子部と、
前記第２の面に設けられ、外部に電力を供給するための電力供給端子部とを備えた記録装置を具備し、
前記第１の面及び第２の面を対向させ、前記マイクロフォン装置と前記記録装置との間における、前記信号出力端子部及び信号入力端子部間の嵌合による接続、並びに前記電力入力端子部及び電力供給端子部間の嵌合による接続を同時に行い、前記マイクロフォン装置を前記記録装置に装着することができるように構成した録音システム。
【請求項２】
前記電力入力端子部及び電力供給端子部間の接続により、前記マイクロフォン装置の増幅部に電力が供給され、前記マイク部からの音声信号が前記増幅部により増幅され、前記信号出力端子部から出力される請求項１に記載の録音システム。
【請求項３】
音声を電気的な音声信号に変換するマイク部と、
前記マイク部からの音声信号を増幅する増幅部と、
前記マイク部からの音声信号を出力するための信号出力端子部と、
前記増幅部に供給する電力を入力するための電力入力端子部とを備えたマイクロフォン装置であって、
前記信号出力端子部及び電力入力端子部は同一面上に配置され、
前記電力入力端子部に電力が供給される場合は、前記マイク部からの音声信号を前記増幅部により増幅して前記信号出力端子部から出力し、
前記電力入力端子部に電力が供給されない場合は、前記マイク部からの音声信号を増幅することなく前記信号出力端子部から出力するマイクロフォン装置。
【請求項４】
前記信号出力端子部及び電力入力端子部間の位置関係は前記同一面上において可変である請求項３に記載のマイクロフォン装置。
【請求項５】
前記電力入力端子部は、前記同一面に垂直又は平行な軸の周りに回転可能である請求項３又は４に記載のマイクロフォン装置。
【発明の詳細な説明】
【技術分野】
【０００１】
本発明は、音声を電気的な音声信号に変換して出力するマイクロフォン装置、及び該装置と該装置に電力の供給が可能な記録装置とを備えた録音システムに関する。
【背景技術】
【０００２】
従来、フラッシュメモリタイプやＨＤＤタイプのポータブルオーディオ機器として、外部機器からの録音用の接続端子を備え、ダイレクトエンコード機能を有するものが知られている。しかし、このようなダイレクトエンコード機能を有する機器として、外部マイクからの接続端子を備えた機種はほとんど存在しない。
【０００３】
図６はこのようなダイレクトエンコード機能を有する従来のポータブルオーディオ装置の一例を示す斜視図である。この装置は、録音用端子としてのφ３．５又はφ２．５のステレオミニジャック６１、及びＢタイプのミニＵＳＢジャック６２を備える。ステレオミニジャック６１はダイレクトエンコード用のものであり、ステレオミニジャック６１から入力される音声信号は、ＭＰ３やＷＭＡ形式のデータにエンコードされ、記録される。ミニＵＳＢジャック６２はパソコンとの接続や、充電、給電に用いられる。
【０００４】
このような外部入力端子を有する機種において、その外部入力端子に接続される相手側機器の出力としては、オーディオ機器の外部出力や、ラジカセやポータブルオーディオのヘッドホン出力が主なものである。すなわち、外部マイクを用いて録音を行うための外部マイク端子を備えた機器では、通例、入力感度を０．１〜２．５［ｍＶ］程度に設定するが、ダイレクトエンコーディングに用いる一般的な入力端子では、５００［ｍＶ］〜２［Ｖ］程度に設定していることが多いと考えられる。したがって、ダイレクトエンコード用の一般的な入力端子に外部マイクを接続して録音を行うためには、この出力レベルの差を補うために、マイクアンプ等を使用し、通常の信号レベルへ増幅してから接続を行う必要がある。ただし、マイクアンプの動作には電源を必要とする。一般的な外付けマイクアンプの場合、電源として、乾電池等を用いるケースが多い。
【０００５】
図７は従来のアンプ内臓マイクの一例を示す斜視図である。マイク７１からの音声信号は、乾電池やボタン電池等の電池７２を電源として増幅され、φ３．５又はφ２．５のステレオミニプラグ７３から出力されるようになっている。したがってステレオミニプラグ７３を、たとえば図６の装置のステレオミニジャック６１に接続することにより、マイク７１からの音声信号を図６の装置により録音することができる。
【０００６】
一方、増幅のための電源の供給を、電池からではなく、録音装置側から受けるようにした、プラグインパワー方式のマイクも知られている（たとえば非特許文献１参照）。このマイクは、その接続プラグを録音装置のマイク端子に差し込むだけで、増幅のための給電を受けることができるようになっている。
【０００７】
【非特許文献１】Ｓｏｎｙ  ｅＣａｔａｌｏｇ（ソニー商品の商品情報が検索できるサイト）におけるマイクロホンＥＣＭ−ＤＳ７０Ｐに関する説明、［ｏｎｌｉｎｅ］、ソニーマーケッティング株式会社、［平成１９年１月５日検索］、インターネット＜ＵＲＬ：ｈｔｔｐ：／／ｗｗｗ．ｅｃａｔ．ｓｏｎｙ．ｃｏ．ｊｐ／ａｖａｃｃ／ｍｉｃ／ａｃｃ／ｉｎｄｅｘ．ｃｆｍ？ＰＤ＝８８５＞
【発明の開示】
【発明が解決しようとする課題】
【０００８】
しかしながら、上述図６の従来のポータブルオーディオ装置によれば、マイクを用いて録音を行う場合、図７のような電池を必要とするアンプ内蔵のマイクを用いなければならないので、マイクロフォン本体の小型化及び軽量化が困難である。また、上述のプラグインパワー方式のマイクによれば、録音装置側もプラグインパワー方式に対応している必要があるので、汎用性に乏しい。
【０００９】
本発明の目的は、このような従来技術の問題点に鑑み、電池等の電源を設ける必要なしに、増幅機能を有する、汎用性の高いマイクロフォン装置を備えた録音システムを提供することにある。
【課題を解決するための手段】
【００１０】
この目的を達成するための第１の発明に係る録音システムは、マイクロフォン装置及び記録装置を具備する。マイクロフォン装置は、第１の面に設けられ、前記増幅部により増幅された音声信号を出力するための信号出力端子部と、前記第１の面に設けられ、前記増幅部に供給する電力を入力するための電力入力端子部とを備える。記録装置は、第２の面に設けられ、記録する音声信号を入力するための信号入力端子部と、前記第２の面に設けられ、外部に電力を供給するための電力供給端子部とを備える。そして、録音システムは、前記第１の面及び第２の面を対向させ、前記マイクロフォン装置及び前記記録装置間における、前記信号出力端子部及び信号入力端子部間の嵌合による接続、並びに前記電力入力端子部及び電力供給端子部間の嵌合による接続を同時に行い、前記マイクロフォン装置を前記記録装置に結合させることができるように構成されている。
【００１１】
この構成において、第１面及び第２面を対向させ、マイクロフォン装置を記録装置に対して押し当てることにより、信号出力端子部及び信号入力端子部間の嵌合による接続、並びに電力入力端子部及び電力供給端子部間の嵌合による接続を同時に行い、マイクロフォン装置を記録装置に装着することができるようになっているので、ユーザはマイクロフォン装置の第１面を記録装置の第２面に対向させ、マイクロフォン装置の信号出力端子部及び電力入力端子部が記録装置の信号入力端子部及び電力供給端子部にそれぞれ対応するように位置を合わせてマイクロフォン装置を記録装置に対して押し当てるだけで、信号出力端子部及び信号入力端子部間の接続、並びに電力入力端子部及び電力供給端子部間の接続を同時に行いながら、マイクロフォン装置を記録装置に装着することができる。つまりユーザは、ワンタッチでマイクロフォン装置を記録装置に装着することができる。また、この装着に際しては、信号出力端子部及び信号入力端子部間の嵌合による接続、並びに電力入力端子部及び電力供給端子部間の嵌合による接続が行われるので、従来のように信号出力端子部及び信号入力端子部間の嵌合による接続のみが行われる場合に比べ、マイクロフォン装置を高い強度で記録装置に固定することができる。また、電力供給端子部として、たとえば、記録装置が一般的に備えるＵＳＢ端子を利用したものを採用し、電力入力端子部をこれに対応したＵＳＢ端子で構成することにより、電池が不要でかつ汎用性の高い、増幅機能付きマイクロフォン装置を提供することができる。
【００１２】
第２の発明に係る録音システムは、第１発明において、前記電力入力端子部及び電力供給端子部間の接続により、前記マイクロフォン装置の増幅部に電力が供給され、前記マイク部からの音声信号が前記増幅部により増幅され、前記信号出力端子部から出力されるようにしている。
【００１３】
第３の発明に係るマイクロフォン装置は、音声を電気的な音声信号に変換するマイク部と、前記マイク部からの音声信号を増幅する増幅部と、前記マイク部からの音声信号を出力するための信号出力端子部と、前記増幅部に供給する電力を入力するための電力入力端子部とを備えたマイクロフォン装置に関する。この装置においては、前記信号出力端子部及び電力入力端子部は同一面上に配置され、前記電力入力端子部に電力が供給される場合は、前記マイク部からの音声信号を前記増幅部により増幅して前記信号出力端子部から出力し、前記電力入力端子部に電力が供給されない場合は、前記マイク部からの音声信号を増幅することなく前記信号出力端子部から出力するようになっている。
【００１４】
第４の発明に係るマイクロフォン装置は、第３発明において、前記信号出力端子部と電力入力端子部との位置関係を、前記同一面上において可変としている。
【００１５】
第５の発明に係るマイクロフォン装置は、第３又は第４発明において、前記電力入力端子部を、前記同一面に垂直又は平行な軸の周りに回転可能としている。
【発明の効果】
【００１６】
本発明の録音システムによれば、第１面及び第２面を対向させ、マイクロフォン装置を記録装置に対して押し当てることにより、信号出力端子部及び信号入力端子部間の嵌合による接続、並びに電力入力端子部及び電力供給端子部間の嵌合による接続を同時に行い、マイクロフォン装置を記録装置に装着することができるようにしたため、記録装置からの給電による増幅機能を備えた汎用性の高いマイクロフォン装置を記録装置に対して、従来より高い強度で、ワンタッチで装着することができる。
【００１７】
本発明のマイクロフォン装置によれば、信号出力端子部及び電力入力端子部を同一面上に配置し、電力入力端子部に電力が供給される場合は、マイク部からの音声信号を増幅部により増幅して信号出力端子部から出力し、電力入力端子部に電力が供給されない場合には、マイク部からの音声信号を増幅することなく信号出力端子部から出力するようにしたため、マイクロフォン装置において音声信号の増幅が必要な場合及び不要な場合の双方に対応することができる。
【００１８】
また、前記同一面上において、信号出力端子部及び電力入力端子部間の位置関係を可変としたため、これらの端子部と接続される信号入力端子部及び電力出力端子部間の位置関係が種々異なる多くの記録装置に対応することができる。
【００１９】
また、電力入力端子部を、前記同一面に垂直な軸の周りに回転可能としたため、電力入力端子部と接続される電力出力端子の同様の軸の周りの回転位置が種々異なる多くの記録装置に対応することができる。
【００２０】
また、電力入力端子部を、前記同一面に平行な軸の周りに回転可能としたため、電力入力端子部と接続される電力出力端子を有していない記録装置にも対応することができる。
【発明を実施するための最良の形態】
【００２１】
図１は、本発明の第１の実施形態に係るオーディオプレーヤを示す斜視図である。このオーディオプレーヤは同図に示すように、オプションマイク１０ａ、及びオプションマイク１０ａを接続して使用することができるプレーヤ本体２０を備える。オプションマイク１０ａは、音声を電気的な音声信号に変換するマイク１１、マイク１１からの音声信号を増幅する内蔵マイクアンプ（不図示）、前記内蔵マイクアンプにより増幅された音声信号を出力するためのφ３．５又はφ２．５のステレオミニプラグ１２、前記内蔵マイクアンプに供給する電力を入力するためのＢタイプのミニＵＳＢプラグ１３を備える。ステレオミニプラグ１２及びミニＵＳＢプラグ１３は、オプションマイク１０ａをプレーヤ本体２０に装着する際にプレーヤ本体２０に対向する対向面１４上に設けられている。
【００２２】
プレーヤ本体２０は、音声信号が入力されるφ３．５又はφ２．５のステレオミニジャック２１、外部への電力供給用としても使用することができるＢタイプのミニＵＳＢジャック２２を備える。ステレオミニジャック２１及びミニＵＳＢジャック２２は、オプションマイク１０ａの使用時に対向面１４と対向する対向面２３上に設けられている。プレーヤ本体２０はダイレクトエンコード機能を有しており、ステレオミニジャック２１を経て入力される音声信号をＭＰ３やＷＭＡ形式のデータに変換し、フラッシュメモリやハードディスク等の内蔵メモリに記録することができる。プレーヤ本体２０はまた、ミニＵＳＢジャック２２を介してパソコンに接続された場合には、マスストレッジモードで動作することができ、パソコンから楽曲ファイルや一般的なデータ等の転送を受けて内蔵メモリに保存したり、その保存内容とパソコンにおける保存内容との同期をとったりすることができるようになっている。
【００２３】
また、図示はしていないが、プレーヤ本体２０にオプションマイク１０ａが装着され、ステレオミニジャック２１及びミニＵＳＢジャック２２に対してオプションマイク１０ａのステレオミニプラグ１２及びミニＵＳＢプラグ１３が差し込まれたとき、その旨を検出するための機械的及び回路的構成を備える。また、パソコンから給電を受けるマスストレッジモードの場合とは異なり、オプションマイク１０ａが装着された場合には、ミニＵＳＢジャック２２はオプションマイク１０ａへの給電を行うために用いられるので、オプションマイク１０ａの装着が検出されたことに応答して、ミニＵＳＢジャック２２の機能を受電機能から給電機能に切り替える切替え手段を備える。切替え手段は、ミニＵＳＢジャック２２の電源線を、受電時には充電回路へ接続するが、給電時にはプレーヤ本体２０が有する充電池からの出力側に接続するように切り替える。
【００２４】
オプションマイク１０ａを使用する場合には、ユーザは対向面１４を、プレーヤ本体２０側の対向面２３に対向させて、オプションマイク１０ａをプレーヤ本体２０に対して押し当てることにより、ステレオミニプラグ１２及びステレオミニジャック２１間の嵌合による接続、並びにミニＵＳＢプラグ１３及びミニＵＳＢジャック２２間の嵌合による接続を同時に行うことができる。これにより、オプションマイク１０ａの装着が完了し、使用が可能となる。
【００２５】
プレーヤ本体２０の電源が投入されると、プレーヤ本体２０は充電池からの給電を開始する。このときオプションマイク１０ａが装着されているとすれば、その旨を検出し、切替え手段によって、充電池が供給する電力の一部がミニＵＳＢジャック２２の電源線を経てオプションマイク１０ａへ供給されるように切り替える。この一部の電力は、ミニＵＳＢジャック２２及びミニＵＳＢプラグ１３を経て、オプションマイク１０ａの内臓マイクアンプに供給される。
【００２６】
これによりオプションマイク１０ａは、マイク１１からの音声信号を内臓マイクアンプによって増幅し、プレーヤ本体２０に対し、録音を行うのに十分なレベルのものとして供給することができるようになる。プレーヤ本体２０において録音ボタンが押下されると、プレーヤ本体２０は、オプションマイク１０ａからステレオミニジャック２１を経て供給される音声信号を、ＭＰ３やＷＭＡ形式のデータに変換し、内蔵メモリに記録する。
【００２７】
本実施形態によれば、オプションマイク１０ａを、それ自身には電池等の電源を設ける必要なく、増幅機能を備えた汎用性の高いマイクロフォン装置とすることができる。すなわち、フラッシュメモリタイプやハードディスクタイプのポータブルオーディオ機器がパソコンとの接続を行うために一般的に備えるＵＳＢ端子は、パソコンとの接続時には、パソコン側から＋５［Ｖ］の給電を受けることができるように、電源線を備えているが、本実施形態では、この電源線を利用することによって、電池等の電源を設ける必要なく、かつプレーヤ本体２０にプラグインパワー機能を設けて汎用性を損なうことなく、オプションマイク１０ａに対して増幅機能を付与することができる。
【００２８】
また、対向面１４及び２３を対向させて近接又は接触させることにより、ステレオミニプラグ１２及びステレオミニジャック２１間の接続、並びにミニＵＳＢプラグ１３及びミニＵＳＢジャック２２間の接続を同時に行うことができるようにしたため、オプションマイク１０ａをプレーヤ本体２０に対し、容易に装着することができる。
【００２９】
また、オプションマイク１０ａをプレーヤ本体２０に装着した場合、オプションマイク１０ａはステレオミニプラグ１２及びステレオミニジャック２１間の嵌合による接続、並びにミニＵＳＢプラグ１３及びミニＵＳＢジャック２２間の嵌合による接続によって、オプションマイク１０ａがプレーヤ本体２０により支持されるため、従来のステレオミニプラグ及びステレオミニジャックの嵌合による接続のみによって支持される場合に比べ、支持強度が向上する。
【００３０】
また、オプションマイク１０ａに電源を設ける必要がないため、オプションマイク１０ａをシンプルでコンパクト且つ軽量に構成することができる。したがって、プレーヤ本体２０及びオプションマイク１０ａからなる録音システム全体としても、軽量化を図ることができる。なお、オプションマイク１０ａは、ＵＳＢの電源線を介して給電を受けない場合には、増幅機能の無いマイクとして使用することができる。したがって、より汎用性の高いマイクとして使用することができる。
【００３１】
図２は本発明の第２の実施形態に係るオプションマイク１０ｂを示す斜視図である。同図において、図１のオプションマイク１０ａの場合と同一の符号は同様の要素を示す。図２中の２６は対向面１４の一部に開口面を有する凹部、２７は凹部２６内において対向面１４に平行な軸の周りで回転可能に支持された回転部、２７ａは回転部２７において、その回転軸に平行に設けられた取付け面である。ミニＵＳＢプラグ１３は取付け面２７ａ上に設けられている。他の構成は、図１のオプションマイク１０ａの場合と同様である。
【００３２】
図２（ａ）では回転部２７の回転位置が、取付け面２７ａが対向面１４と一致し、１つの平面を形成する位置にある場合の様子が示されている。この状態においては、オプションマイク１０ｂは、図１の形態の場合と同様にして、同様のプレーヤ本体２０に装着し、使用することができる。
【００３３】
一方、図２（ｂ）のように、ミニＵＳＢプラグ１３を取付け部２７とともに回転させ、凹部２６に収納することができる。この状態においては、増幅機能を有していないマイクに対応した、マイク専用の端子を備えたプレーヤ本体に対して、ステレオミニプラグ１２のみを接続し、使用することができる。この場合、ミニＵＳＢプラグ１３には電力が供給されないので、マイク１１からの音声信号は増幅されることなくステレオミニプラグ１２から出力されることになる。
【００３４】
なお、オプションマイク１０ｂの内蔵マイクアンプのオン・オフ状態を、回転部２７の回転位置に連動させ、図２（ａ）で示されるような回転位置においてオンとし、図２（ｂ）で示されるような回転位置においてオフとするようにしてもよい。
【００３５】
本実施形態によれば、ミニＵＳＢプラグ１３を、対向面１４に平行な軸の周りに回転可能としたため、ミニＵＳＢプラグ１３と接続される電力出力用の端子を有していないプレーヤ本体に対しても、ステレオミニプラグ１２のみを接続して、オプションマイク１０ｂを使用することができる。
【００３６】
図３は本発明の第３の実施形態に係るオーディオプレーヤを示す斜視図である。同図において、図１の場合と同一の符号は同様の要素を示す。図３中の１０ｃは図１におけるオプションマイク１０ａと同様の機能を有するオプションマイク、３１はオプションマイク１０ｃの対向面１４とは反対側の面に設けられたミニＵＳＢジャック、３２はパソコンに接続されたＵＳＢケーブル、３２ａはＵＳＢケーブル３２の端部に設けられ、ミニＵＳＢジャック３１に接続可能なミニＵＳＢプラグである。ミニＵＳＢジャック３１はミニＵＳＢプラグ１３に接続している。オプションマイク１０ｃにおける他の構成は、図１におけるオプションマイク１０ａの場合と同様である。
【００３７】
オプションマイク１０ｃは、図１の形態の場合と同様にしてプレーヤ本体２０に装着されている場合、同様にしてプレーヤ本体２０から給電を受け、内蔵マイクアンプの増幅機能を享受することができる。一方、オプションマイク１０ｃがプレーヤ本体２０に装着された状態において、ミニＵＳＢプラグ３２ａがミニＵＳＢジャック３１に差し込まれた場合には、ミニＵＳＢプラグ１３及びミニＵＳＢジャック２２を経て、プレーヤ本体２０及びパソコン間の接続、パソコンからプレーヤ本体２０への給電、及びパソコンからオプションマイク１０ｃへの給電が行われる。他の作用効果については図１の形態の場合と同様である。
【００３８】
本実施形態によれば、ミニＵＳＢプラグ１３に接続しているミニＵＳＢジャック３１を設けたため、オプションマイク１０ｃをプレーヤ本体２０に装着したまま、パソコンに接続されたＵＳＢケーブル３２のミニＵＳＢプラグ３２ａをミニＵＳＢジャック３１に差し込むことによって、パソコン及びプレーヤ本体２０間の接続、並びにパソコンからオプションマイク１０ｃ及びプレーヤ本体２０への給電を行うことができる。
【００３９】
図４は本発明の第４の実施形態に係るオプションマイク１０ｄを示す斜視図である。同図において、図１の場合と同一の符号は同様の要素を示す。図４において、４１は対向面１４の一部において開口し、対向面１４に平行な底面を有する凹部、４２は凹部４１の底面に沿ってＸ及びＹ方向に移動可能な可動部である。ミニＵＳＢプラグ１３は可動部４２上に設けられている。ミニＵＳＢプラグ１３及び内蔵マイクアンプ間の接続は、可動部４２の各移動位置において維持されるようになっている。この可動部の構成は、ミニＵＳＢプラグ１３及びその接続線を保持する可動部４２が、凹部４１内に保持される図示しないレール部材などにより機械的に保持されることにより、移動可能に保持されるようになっている。移動可能方向がＸ方向のみ、又はＹ方向のみとなるように構成してもよい。他の構成は、図１のオプションマイク１０ａの場合と同様である。
【００４０】
オプションマイク１０ｄを図１のプレーヤ本体２０のようなプレーヤ本体に装着する際には、ユーザは、可動部４２の位置を調整し、ステレオミニプラグ１２に対するミニＵＳＢプラグ１３の位置を、対応するプレーヤ本体におけるステレオミニジャック及びミニＵＳＢジャックに適合するように調整する。この後、図１の場合と同様にして、対向面１４をプレーヤ本体側の対向面に近接又は接触させることにより、オプションマイク１０ｄをプレーヤ本体に装着することができる。他の作用効果については図１の形態の場合と同様である。
【００４１】
本実施形態によれば、対向面１４上において、ステレオミニプラグ１２及びミニＵＳＢプラグ１３間の位置関係を可変としたため、これらのプラグと接続されるステレオミニジャック及びミニＵＳＢジャック間の位置関係が種々異なる多くのプレーヤ本体に対し、オプションマイク１０ｄを装着して使用することができる。
【００４２】
図５は本発明の第５の実施形態に係るオプションマイク１０ｅを示す斜視図である。同図において、図１のオプションマイク１０ａの場合と同一の符号は同様の要素を示す。図５中の５１は、対向面１４に垂直な軸の周りで回転可能に設けられた取付け部である。取付け部５１の表面は対向面１４と一致しており、対向面１４とともに１つの平面を形成している。ミニＵＳＢプラグ１３は取付け部５１の表面に設けられている。すなわち取付け部５１は、ミニＵＳＢプラグ１３を保持しつつ、ミニＵＳＢプラグ１３と内蔵マイクアンプとの接続を維持したまま、対向面１４に垂直な軸の周りで回転可能となっている。他の構成については図１のオプションマイク１０ａの場合と同様であり、図１のプレーヤ本体２０と同様のプレーヤ本体に対して装着することができるようになっている。
【００４３】
オプションマイク１０ｅをプレーヤ本体に装着する際には、ユーザは、ミニＵＳＢプラグ１３を、取り付け部１５とともに、対向面１４に垂直な軸の周りで回転させることにより、ミニＵＳＢプラグ１３の回転方向の位置を、プレーヤ本体側のミニＵＳＢジャックにおける同様の回転方向位置に合わせる。この後、図１の形態の場合と同様にして対向面１４をプレーヤ本体の対向面に対して近接又は接触させることにより、オプションマイク１０ｅをプレーヤ本体に対して装着することができる。他の作用については図１のオプションマイク１０ａの場合と同様である。
【００４４】
本実施形態によれば、ミニＵＳＢプラグ１３を、対向面１４に垂直な軸の周りで回転させることができるようにしたため、ミニＵＳＢプラグ１３と接続されるプレーヤ本体側のミニＵＳＢジャックにおける同様の回転位置が種々異なる多くのプレーヤ本体に対し、オプションマイク１０ｅを装着して使用することができる。
【００４５】
なお、本発明は、上述実施形態に限定されることなく、適宜変形して実施することができる。たとえば、本発明は上述各実施形態による技術を単独で実施する場合に限定されることはなく、各実施形態を組み合わせた構成のものとして実施することができる。
【図面の簡単な説明】
【００４６】
【図１】本発明の第１の実施形態に係るオーディオプレーヤを示す斜視図である。
【図２】本発明の第２の実施形態に係るオプションマイクを示す斜視図である。
【図３】本発明の第３の実施形態に係るオーディオプレーヤを示す斜視図である。
【図４】本発明の第４の実施形態に係るオプションマイクを示す斜視図である。
【図５】本発明の第５の実施形態に係るオプションマイクを示す斜視図である。
【図６】従来のポータブルオーディオ装置の一例を示す斜視図である。
【図７】従来のアンプ内臓マイクの一例を示す斜視図である。
【符号の説明】
【００４７】
１０ａ〜１０ｅ：オプションマイク、２０：プレーヤ本体、１１：マイク、１２：ステレオミニプラグ、１３：ミニＵＳＢプラグ、１４：対向面、２１：ステレオミニジャック、２２：ミニＵＳＢジャック、２３：対向面、２６：凹部、２７：回転部、２７ａ：取付け面、３１：ミニＵＳＢジャック、３２：ＵＳＢケーブル、３２ａ：ミニＵＳＢプラグ、４１：凹部、４２：可動部、５１：取付け部、６１：ステレオミニジャック、６２ミニＵＳＢジャック、７１：マイク、７２：電池、７３：ステレオミニプラグ。
【図１】
2008172679.tif 000003
【図２】
2008172679.tif 000004
【図３】
2008172679.tif 000005
【図４】
2008172679.tif 000006
【図５】
2008172679.tif 000007
【図６】
2008172679.tif 000008
【図７】
2008172679.tif 000009